(57)【特許請求の範囲】
【請求項１】
吊り部材を介して上部構造体から吊り下げ保持される野縁受けと、前記野縁受けに取り付けられる野縁と、前記野縁に取り付けられる天井材とを有し、
前記上部構造体から垂下させた支柱の下端に高さレベル調整手段を介して固定プレートを取り付け、
前記固定プレ−トと前記天井材との間に地震時の前記天井材の変位を吸収する天井制震装置を介在させたことを特徴とする耐震天井構造。
【請求項２】
請求項１において、
前記天井制震装置は、前記固定プレートに取り付けられる固定プレート側取付部材と、前記天井材側に取り付けられる天井側取付部材と、前記固定プレート側取付部材と前記天井側取付部材との間に設けられた粘弾性材とを有することを特徴とする耐震天井構造。
【請求項３】
請求項１または２において、
前記固定プレートは、前記上部構造体に対して斜めに掛け渡した複数本の斜材にて支持されていることを特徴とする耐震天井構造。
【請求項４】
請求項３において、
前記各斜材は、長さ調整可能にされていることを特徴とする耐震天井構造。
【請求項５】
上部構造体にアンカーを取り付け、下端部に固定プレートを仮止めした支柱の上端部を前記アンカーに固定して前記上部構造体から支柱を垂下させる工程と、
前記上部構造体に複数本の吊り部材の上端を固定して垂下させる工程と、
前記吊り部材の下端に野縁受け及び野縁を取り付けて天井下地を組み立てる工程と、
前記仮止めした固定プレートの高さレベルを高さレベル調整手段にて調整する工程と、
前記野縁受けまたは前記野縁の間に地震時の前記天井材の変位を吸収する天井制震装置を仮置きする工程と、
前記野縁の下面に天井材を取り付ける工程と、
前記天井制震装置を前記固定プレートと前記天井材とに固定する工程と、
を含むことを特徴とする耐震天井の取付方法。
【請求項６】
請求項５において、
前記上部構造体に前記支柱を取り付ける際に、前記上部構造体に複数本の斜材の上端を固定して垂下させ、前記斜材の下端を前記固定プレートに連結する工程を含むことを特徴とする耐震天井の取付方法。
【発明の詳細な説明】
【技術分野】
【０００１】
本発明は、地震時における天井材の落下を防止する耐震天井構造及び耐震天井の取付方法に関する。
【背景技術】
【０００２】
地震による被害は、構造躯体については現行の新耐震設計基準以前の基準で設計された建物を中心に生じているが、天井等の非構造部材については設計の時期にかかわらず被害を受けている。
【０００３】
天井等の非構造部材は、従来から構造の観点からも材料の観点からも耐震性について研究されることが少なかった。
【０００４】
ところで、近年では、天井裏空間を空調機器など種々の設備機器の設置空間として利用することが多く、そのため空間を確保しやすい吊り天井構造が多く用いられるようになっている。
【０００５】
このような吊り天井構造は、通常、天井スラブの下面から吊りボルトにより野縁受けを吊り下げ、この野縁受けの下面に野縁を取り付け、さらに、この野縁の下面に天井材を取り付けるようにしている（特許文献１参照）。
【０００６】
そして、このような吊り天井において、天井懐が１．５ｍ程度以上の場合には、地震時に天井部材が大きく揺れるのを防止するため、吊りボルトの上端部と隣接する吊りボルトの下端部または野縁受けとの間に斜めにブレースを配設することが行われている。
【０００７】
また、天井端部と壁面との納まり部分に、１０ｃｍ内外程度のクリアランスを設けることで、地震時に天井が大きく揺れて壁面に衝突し、破損、あるいは落下することを防止するようなことも行われている。
【特許文献１】特開２００４−３０８３５６号公報
【発明の開示】
【発明が解決しようとする課題】
【０００８】
前述のブレースを用いる場合、ブレースは吊りボルト上端部分と、隣接する吊りボルトの下端間または野縁受けとの間に設置されているため、ブレースで動きの止められた部材よりも下方の部材、例えば野縁受けもしくは野縁が大きく滑動することとなる。
【０００９】
滑動幅が壁面と天井端部のクリアランスよりも大きくなると、天井と壁面とが衝突し、これが繰り返されると天井の衝突部分が破損し最終的には落下に至ることとなる。
【００１０】
また、天井面が平面的に捩れながら大きく揺れる場合には、野縁受けと野縁を接合するクリップが外れて天井が落下したり、野縁が座屈して天井材と野縁を接合するビスが抜けて天井材が落下したりすることとなる。
【００１１】
本発明の目的は、地震時における天井の変位を簡便かつ確実に抑制して周囲の壁面への衝突を防止することのできる耐震天井構造及び耐震天井の取付方法を提供することにある。
【課題を解決するための手段】
【００１２】
前記目的を達成するため、本発明の耐震天井構造は、吊り部材を介して上部構造体から吊り下げ保持される野縁受けと、前記野縁受けに取り付けられる野縁と、前記野縁に取り付けられる天井材とを有し、前記上部構造体から垂下させた支柱の下端に高さレベル調整手段を介して固定プレートを取り付け、前記固定プレ−トと前記天井材との間に地震時の前記天井材の変位を吸収する天井制震装置を介在させたことを特徴とする。
【００１３】
本発明によれば、上部構造体から垂下させた支柱の下端に取り付けられた固定プレートと天井材との間に介在させた天井制震装置により地震時における天井材の変位を吸収することにより、簡便かつ確実に天井の変位を抑制して周囲の壁面への衝突を防止して、天井材の落下を防止することができる。
【００１４】
また、上部構造体から支柱で下ろした固定プレートに天井制震装置を固定するため、構成材料が軽量で簡易なため、取り付けが容易であり、天井制震装置の設置位置の自由度が高く、しかも、躯体補強が不要であり、大規模天井や段差天井等への適用も可能となる。
【００１５】
本発明においては、前記天井制震装置は、前記固定プレートに取り付けられる固定プレート側取付部材と、前記天井材側に取り付けられる天井側取付部材と、前記固定プレート側取付部材と前記天井側取付部材との間に設けられた粘弾性材とを有するものとすることができる。
【００１６】
このような構成とすることにより、固定プレート側取付部材と天井側取付部材との間に粘弾性材を設けた簡略な構造の天井制震装置とすることができ、しかも、粘弾性材によって地震時の天井の揺れを低減することができる。
【００１７】
本発明においては、前記固定プレートは、前記上部構造体に対して斜めに掛け渡した複数本の斜材にて支持されるようにすることができる。
【００１８】
この複数本の斜材により確実に固定プレート（天井制震装置）を固定することができる。
【００１９】
この場合、前記各斜材は、長さ調整可能にすることができる。
【００２０】
このような構成とすることにより、各斜材のテンションを高めてより確実な固定プレートの固定を行うことができる。
【００２１】
本発明の耐震天井の取付方法は、上部構造体にアンカーを取り付け、下端部に固定プレートを仮止めした支柱の上端部を前記アンカーに固定して前記上部構造体から支柱を垂下させる工程と、前記上部構造体に複数本の吊り部材の上端を固定して垂下させる工程と、
前記吊り部材の下端に野縁受け及び野縁を取り付けて天井下地を組み立てる工程と、
前記仮止めした固定プレートの高さレベルを高さレベル調整手段にて調整する工程と、
前記野縁受けまたは前記野縁の間に地震時の前記天井材の変位を吸収する天井制震装置を仮置きする工程と、前記野縁の下面に天井材を取り付ける工程と、前記天井制震装置を前記固定プレートと前記天井材とに固定する工程とを含むことを特徴とする。
【００２２】
本発明によれば、下端部に固定プレートを仮止めした支柱を上部構造体から垂下させ、上部構造体から複数本の吊り部材を垂下させて、吊り部材の下端に天井下地を組み立てた後、高さレベル調整手段で固定プレートの高さ調整をすることで、天井下地に対する固定プレートの高さ調整を確実に行うことができる。
【００２３】
この状態で、天井制震装置を野縁受けまたは野縁の間に仮置きすれば、確実に設置ができ、その後天井制震装置を固定プレートと天井材とに固定すれば、容易確実に固定できることとなる。
【００２４】
本発明においては、前記上部構造体に前記支柱を取り付ける際に、前記上部構造体に複数本の斜材の上端を固定して垂下させ、前記斜材の下端を前記固定プレートに連結する工程を含むようにすることができる。
【００２５】
このような構成とすることにより、上部構造体に支柱を取り付ける際に、上部構造体に複数本の斜材の上端を固定して垂下させておけば、斜材の取り付けを容易に行うことができ、この時斜材の下端を固定プレートに連結しておけば固定プレートの高さ調整時に斜材の固定も容易に行うことができる。
【発明を実施するための最良の形態】
【００２６】
以下、本発明の実施の形態について、図面を参照して説明する。
【００２７】
図１〜図７は、本発明の一実施の形態に係る耐震天井構造を示す図である。
【００２８】
図１は、本実施の形態に係る耐震天井構造の縦断面図、図２はその平面図で、この耐震天井構造１０は、野縁受け１２と、野縁１４と、天井材１６と、支柱１８と、固定プレート２０と、斜材としてのブレース２２と、天井制震装置２４とを有している。
【００２９】
野縁受け１２は、吊り部材としての吊りボルト２６を介して上部構造体としての天井スラブ２８に所定間隔で複数本略平行に吊り下げ保持された状態となっている。
【００３０】
野縁１４は、野縁受け１２の下面側に、図２にも示すように、各野縁受け１２と略直交して各野縁受け１２にまたがる状態で複数本所定間隔で取付け固定されている。
【００３１】
天井材１６は、野縁１４の下面側にビス等にて取付け固定されて所定面積の天井面を形成している。
【００３２】
この天井面の外周部に位置する天井材１６の端部と壁面３０との間には、図２にも示すように、天井材１６と壁面３０との衝突をさけるために所定間隔の隙間３２が設けられている。
【００３３】
また、天井材１６の端部と壁面３０との間の隙間３２は、図１に示すように、壁面３０側に取り付けられた回り縁３４にて覆われるようになっている。
【００３４】
支柱１８は、固定プレート２０を介して天井制震装置２４を支持するもので、図３に示すように、上端が天井スラブ２８に取り付けられて天井スラブ２８から垂下されると共に、下端に固定プレート２０が取り付けられるようになっている。
【００３５】
具体的には、支柱１８は、図４に示すように、貫通孔付きの上部プレート３６及び下部プレート３８間にパイプ状の支柱本体４０を配設し、これら上部プレート３６、下部プレート３８及び支柱本体４０を貫通させて全ねじボルト４２を設け、全ねじボルト４２の上端を天井スラブ２８に取り付けたホールインアンカー４４内に螺合させると共に、下部プレート３８の下側に複数枚の高さ調整用ワッシャ４６を装着した状態で全ねじボルト４２の下端を固定プレート２０の支柱取付孔４８に挿通し、固定プレート２０の下方から全ねじボルト４２の下端に取り付けナット５０を螺合することで、固定プレート２０を垂下状態で支持するようになっている。
【００３６】
また、この支柱１８は、固定プレート２０の高さレベルを調整する高さレベル調整手段５２を有している。
【００３７】
この高さレベル調整手段５２は、調整する高さに応じて高さ調整用ワッシャ４６の枚数を変えると共に、全ねじボルト４２に対する取り付けナット５０の位置を変えることによって、高さレベルを調整し得るようになっている。
【００３８】
固定プレート２０は、図５にも示すように、  支柱１８及びブレース２２に取り付けられるもので、中央に支柱取付孔４８と、この支柱取付孔４８の周囲４箇所に取付けられたブレース下端取り付け用ブラケット５８とを有している。
【００３９】
また、固定プレート２０は、天井制震装置２４の一端側を固定するもので、両端側に天井制震装置取付孔６０を有している。
【００４０】
ブレース２２は、固定プレート２０を固定するためのもので、複数本、例えば４本のブレース２２が天井スラブ２８から固定プレート２０に対して斜めに掛け渡されている。
【００４１】
各ブレース２２は、具体的には、図６に示すように、天井スラブ２８にホールインアンカー６２を取り付け、このホールインアンカー６２にボルト６４にてブレース上端取り付け用ブラケット６６を取り付け、このブレース上端取り付け用ブラケット６６に袋ナット付き羽子板プレート６８をボルト・ナット７０にて取り付け、さらにこの袋ナット付き羽子板プレート６８に全ねじボルト付き羽子板プレート７２をターンバックル７４を介して取り付けた全ねじボルト７６の上端を取り付けるようにしている。
【００４２】
そして、下端の全ねじボルト付き羽子板プレート７２を固定プレート本体５４のブレース下端取り付け用ブラケット５８にボルト・ナット７８にて連結するようにしている。
【００４３】
また、ターンバックル７４にて各ブレース２２のテンション調整を行って固定プレート２０を固定するようにしている。
【００４４】
天井制震装置２４は、地震時の天井材１６の変位を吸収するためのもので、図７（１）、（２）に示すように、固定プレート２０に取り付けられる固定プレート側取付部材８０と、天井材１６側に取り付けられる天井側取付部材８２と、固定プレート側取付部材８０と天井側取付部材８２との間に設けられた上下のプレート８６を有する粘弾性材８４とを有するものとすることで、簡略な構造の天井制震装置とし、しかも、粘弾性材８４によって確実な制震効果を得ることができるようになっている。
【００４５】
天井側取付部材８２は、粘弾性材８４に取り付けられた下側のプレート８６を介して粘弾性材８４に連結され、固定プレート側取り付けプレート部材８０は上側のプレート８６を介して粘弾性材８４に連結されている。
【００４６】
また、天井側取付部材８２の下面には、面材８８が取り付けられ、この面材８８の上面に野縁受け１２の間に仮置きするための仮置き部材９０が設けられている。
【００４７】
この天井制震装置２４の仮置きは、野縁受け１２に代えて野縁１４にしてもよい。
【００４８】
また、天井側取付部材８２は、野縁受け１２または野縁１４に取り付けるようにしてもよい。
【００４９】
粘弾性材８４には、高減衰ゴム等の高減衰材を用いた粘弾性ダンパーを用いることができる。
【００５０】
また、粘弾性材８４は、上下のプレート８６に接着剤を用いて接着してもよく、高減衰ゴム等の加硫時に一体化するようにしてもよい。
【００５１】
このように、粘弾性材８４を用いることで、地震時に粘弾性材８４が剪断変形することによって天井部材にかかる地震エネルギーを軽減させることができる。
【００５２】
次に、このような耐震天井構造を用いた耐震天井の取付方法について説明する。
【００５３】
まず、天井スラブ２８にホールインアンカー４４を取り付け、下端部に固定プレート２０を仮止めした支柱１８の上端部をホールインアンカー４４に固定して、天井スラブ２８から支柱１８を垂下させる。
【００５４】
この場合、天井スラブ２８に支柱１８を取り付ける際に、天井スラブ２８に複数本のブレース２２の上端を固定して垂下させておけば、同時に天井スラブ２８へのアンカーの取り付けができるのでブレース２２の取り付けが容易に行える。
【００５５】
また、この時ブレース２２の下端を固定プレート２０に連結しておけば、固定プレ−ト２０の高さレベル調整時にブレースのテンション調整も容易に行える。
【００５６】
次に、天井スラブ２８に複数本の吊りボルト２６の上端を固定して垂下させる。
【００５７】
この状態で、吊りボルト２６の下端に野縁受け１２及び野縁１４を取り付けて天井下地を組み立てる。
【００５８】
次いで、仮止めした固定プレート２０の高さレベルを高さレベル調整手段５２にて調整する。
【００５９】
これによって、天井下地に対する固定プレート２０の高さ調整を確実に行うことができる。
【００６０】
この時、ターンバックル７４を調整してブレース２２のテンション調整を行い、固定プレート２０を固定する。
【００６１】
次に、野縁受け１２上に天井制震装置２４に設けた仮置き部材９０を載せて、天井制震装置２４を仮置きする。
【００６２】
この場合、既に、天井下地に対する固定プレート２０の高さレベル調整がなされているので、仮置きをすれば天井制震装置２４と天井下地との位置関係が確実に一致することとなる。
【００６３】
次いで、野縁１４の下面側に天井材１６を貼り付ける。
【００６４】
そして、天井制震装置２４の仮置き後、固定プレート側取付部材８０と固定プレート２０とを固定し、さらに、天井材１６と天井制震装置２４、具体的には面材８８とを固定すれば取り付けが完了することとなる。
【００６５】
本発明は、前記実施の形態に限定されるものではなく、本発明の要旨の範囲内において種々の形態に変形可能である。
【００６６】
例えば、前記実施の形態では、上部構造体として天井スラブを示したが、この例に限らず、鋼材等であってもよい。
【００６７】
また、斜材としてターンバックルを用いたブレースを示したが、アングル材等を用いることも可能である。
【図面の簡単な説明】
【００６８】
【図１】本発明の一実施の形態にかかる耐震天井構造を示す断面図である。
【図２】図１の耐震天井構造の平面図である。
【図３】図１の要部拡大断面図である。
【図４】図１及び図２の支柱の分解斜視図である。
【図５】固定プレートの平面図である。
【図６】図１及び図２のブレースの分解斜視図である。
【図７】（１）は天井制震装置の平面図、（２）はその側面図である。
【符号の説明】
【００６９】
１０  耐震天井構造
１２  野縁受け
１４  野縁
１６  天井材
１８  支柱
２０  固定プレート
２２  ブレース
２４  天井制震装置
２６  吊りボルト
２８  天井スラブ
４４  ホールインアンカー
５２  高さレベル調整手段
８０  固定プレート側取付部材
８２  天井側取付部材
８４  粘弾性材
【図１】
0004972567.tif 000002
【図２】
0004972567.tif 000003
【図３】
0004972567.tif 000004
【図４】
0004972567.tif 000005
【図５】
0004972567.tif 000006
【図６】
0004972567.tif 000007
【図７】
0004972567.tif 000008